(57)【要約】      （修正有）【課題】気圧検出素子を有する笛を提供する。【解決手段】ケース及び回路基板モジュール１２を備える。ケースはケース本体及びスペーサー部材をさらに備え、ケース本体内にはケース内の空間をさらに有し、スペーサー部材はケース内の空間を空気室及び収納室に分割させると共に空気室に連通される検出開口部１１２２１１が開設され、且つ空気室にはユーザーが気体を空気室に吹き入れるための進気口が開設される。回路基板モジュール１２はケース本体に内設されると共に回路基板本体１２１及び気圧検出素子１２２を備える。回路基板本体１２１の少なくとも一部分は収納室に設置され、且つ検出開口部１１２２１１に対応するガス検出領域１２１１を有し、気圧検出素子１２２はガス検出領域１２１１に設置されて気体の検知に用いられ、気体を検知した場合は検出信号を送信させる。【選択図】図４
0003198986.tif 000002
【実用新案登録請求の範囲】
【請求項１】
ケースと、
回路基板モジュールとを備え、
ここでは、前記ケースは、
内部にケース内の空間を有するケース本体と、
前記ケース内の空間を空気室と収納室とに分割させ、且つ前記空気室に連通される検出開口部が開設され、且つ前記空気室にはユーザーが気体を前記空気室に吹き入れるための進気口が開設されるスペーサー部材とをさらに備え、
また、前記ケース本体内に設置される前記回路基板モジュールは、
少なくとも一部分が前記収納室に設置され、且つ前記検出開口部に対応するガス検出領域を有する回路基板本体と、
前記ガス検出領域に設置されて前記気体の検出に用いられ、且つ前記気体を検知させると第一検出信号を送信させる気圧検出素子とをさらに含むことを特徴とする気圧検出素子を有する笛。
【請求項２】
前記回路基板モジュールは、前記気圧検出素子に電気的に接続され、携帯電子装置に通信接続するために使用され、前記第一検出信号を受信した後に前記第一検出信号を前記携帯電子装置に送信させる転送モジュールをさらに備えることを特徴とする、請求項１に記載の気圧検出素子を有する笛。
【請求項３】
前記ケースは押し素子を備え、前記回路基板モジュールは圧力検出素子を具備し、前記圧力検出素子は前記回路基板本体の前記押し素子に対応する箇所に設置されると共に前記転送モジュールに電気的に接続され、前記圧力検出素子は前記押し素子が受力したのを検知した場合、第二検出信号を前記転送モジュールを経由して前記携帯電子装置に送信させることを特徴とする、請求項２に記載の気圧検出素子を有する笛。
【請求項４】
前記回路基板モジュールは、前記回路基板本体に設置されると共に前記気圧検出素子及び前記圧力検出素子に電気的に接続され、前記第一検出信号及び前記第二検出信号の内の少なくとも１つを受信した場合に発光を行う発光モジュールをさらに備えることを特徴とする、請求項３に記載の気圧検出素子を有する笛。
【請求項５】
前記回路基板モジュールは、前記回路基板本体に設置されると共に前記発光モジュールに電気的に接続され、前記発光モジュールに給電するための電源供給モジュールをさらに備えることを特徴とする、請求項４に記載の気圧検出素子を有する笛。
【請求項６】
前記発光モジュールは複数の発光ダイオード（Light-Emitting Diode; LED）で構成されることを特徴とする、請求項４または５に記載の気圧検出素子を有する笛。
【請求項７】
前記空気室には第一可聴周波数通路及び第二可聴周波数通路が開設され、前記第一可聴周波数通路と前記第二可聴周波数通路とは互いに隔絶されることを特徴とする、請求項１から６のいずれか一項に記載の気圧検出素子を有する笛。
【請求項８】
前記ケース本体は上ケース及び下ケースを備え、前記上ケースには第一可聴周波数排気口及び第二可聴周波数排気口が設けられ、且つ少なくとも１枚の隔板が設置され、前記第一可聴周波数排気口は前記第一可聴周波数通路に連通され、前記第二可聴周波数排気口は前記第二可聴周波数通路に連通され、前記隔板は前記第一可聴周波数通路と前記第二可聴周波数通路とを隔離させ、前記上ケース及び前記下ケースは前記スペーサー部材に連結されることを特徴とする、請求項７に記載の気圧検出素子を有する笛。
【請求項９】
前記スペーサー部材は第一隔板及び第二隔板で構成され、前記第一隔板は前記上ケースに連結され、前記第二隔板は前記下ケースに連結され、前記第二隔板は第一平面部と、垂直部と、第二平面部とを含み、前記第一平面部には前記検出開口部が開設され、前記垂直部は前記第一平面部に連結されると共に前記第二平面部に連結されてＬ字型を呈することを特徴とする、請求項８に記載の気圧検出素子を有する笛。
【請求項１０】
前記気圧検出素子は前記検出開口部に嵌設されることを特徴とする、請求項１から９のいずれか一項に記載の気圧検出素子を有する笛。
【考案の詳細な説明】
【技術分野】
【０００１】
本考案は、気体を検知し検出信号を送信する気圧検出素子を有する笛に関する。
【背景技術】
【０００２】
一般的には、笛は簡単に音を発することのできる構造的特性を有し、警告や注意等を行うために広く応用されている。近年では、犯罪や自然災害が頻発しており、笛は携帯に便利な上に、簡単に使用できてコストも低いため、警告や救助を求めるための道具として使用されている。
【考案の概要】
【考案が解決しようとする課題】
【０００３】
しかしながら、生活環境が日増しに複雑になる中、様々な音が日常生活に溢れるようになり、単純で規律的（或いは不規律）な笛音では人の注意を引くのが難しくなっている。特に事故や緊急避難の際には、周囲では救助隊員が雑多な笛音で連絡を取り合うため、ユーザーが笛を吹いて笛音を発しても、ユーザーが吹いた笛音によってユーザーの位置を特定するのが難しくなる。このため、現在の笛の構造には改善の余地があると言え、救助隊員がユーザーの位置を特定して迅速に救助を行えるようにする必要がある。
【０００４】
また、笛音は、高音階の音調は位置が特定しやすいが長距離は届きにくいという特性を有し、低音階の音調は長距離でも届くが位置が特定しにくいという特性を有する。このため、実際はユーザーが単一の音調しか発することができないため、緊急時にユーザーと救助隊員との間に相当な距離がある場合、高音階の音調では救助隊員まで届きにくくなる。さらに、救助隊員の年齢もそれぞれ違うため、聞き取りやすい音調もそれぞれに異なり、例えば、年長者の場合は低音階の音調が聞き取りやすく、高音階の音調は聞き取りにくい。このため、現在の技術は、同時に高音調と低音調とを発生可能な笛により、救難の効率を高める必要がある。
【０００５】
従来の技術を鑑みると、ユーザーが笛を吹いて音を発しても、救助隊員がユーザーが吹いた笛音でユーザーの位置を特定することができないため、現在の笛には改善の余地がある。そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、気圧検出素子を有する笛を提供することを主目的とする。即ち、気圧検知方式を採用してユーザーの吹いた気圧を検知し、検出信号を外界まで送信させる。
【課題を解決するための手段】
【０００７】
上述した課題を解決し、目的を達成するために、本考案に係る気圧検出素子を有する笛は、ケースと、回路基板モジュールとを備え、ここでは、前記ケースは、内部にケース内の空間を有するケース本体と、前記ケース内の空間を空気室と収納室とに分割させ、且つ前記空気室に連通される検出開口部が開設され、且つ前記空気室にはユーザーが気体を前記空気室に吹き入れるための進気口が開設されるスペーサー部材とをさらに備え、また、前記ケース本体内に設置される前記回路基板モジュールは、少なくとも一部分が前記収納室に設置され、且つ前記検出開口部に対応するガス検出領域を有する回路基板本体と、前記ガス検出領域に設置されて前記気体の検出に用いられ、且つ前記気体を検知させると第一検出信号を送信させる気圧検出素子とをさらに含むことを特徴とする。
【０００８】
また、上述の気圧検出素子を有する笛の好適な実施の形態において、気圧検出素子は検出開口部に嵌設され、且つ回路基板モジュールは、気圧検出素子に電気的に接続されると共に携帯電子装置に通信接続される転送モジュールをさらに備え、第一検出信号を受信させると、第一検出信号を携帯電子装置に送信させてユーザーに通知する。
【０００９】
このほかに、ケースは押し素子をさらに備え、且つ回路基板モジュールは、回路基板本体及び押し素子が互いに対応する箇所に設置されると共に転送モジュールに電気的に接続される圧力検出素子をさらに含む。圧力検出素子が押し素子が受力したのを検知した場合、第二検出信号を転送モジュールを経由して携帯電子装置まで送信させ、これによりユーザーに通知する。このほか、回路基板モジュールは、回路基板本体に設置され、気圧検出素子及び圧力検出素子に電気的に接続され、且つ複数の発光ダイオード（Light-Emitting Diode;LED）で構成され、第一検出信号及び第二検出信号の内の少なくとも１つを受信した際にトリガーされて発光を行う発光モジュールを具備する。
【００１０】
また、上述の気圧検出素子を有する笛の好適な実施の形態において、回路基板モジュールは、回路基板本体に設置されると共に発光モジュールに電気的に接続され、発光モジュールに給電するのに使用される電源供給モジュールをさらに備える。電源供給モジュールはリチウム電池、アルカリ電池、充電池、及びアルミニウム電池の内の何れか１つである。なお、空気室には互いに隔絶される第一可聴周波数通路及び第二可聴周波数通路が開設され、ケース本体は上ケース及び下ケースを備える。上ケースには第一可聴周波数排気口及び第二可聴周波数排気口が設けられ、且つ少なくとも１枚の隔板が設置され、第一可聴周波数排気口は第一可聴周波数通路に連通され、第二可聴周波数排気口は第二可聴周波数通路に連通され、隔板により第一可聴周波数通路と第二可聴周波数通路とが隔離され、且つ上ケース及び下ケースにはスペーサー部材が連結される。なお、スペーサー部材は第一隔板及び第二隔板で構成され、第一隔板は上ケースに連結され、第二隔板は下ケースに連結され、第二隔板は第一平面部と、垂直部と、第二平面部とを含む。第一平面部には検出開口部が開設され、垂直部は第一平面部に連結されると共に第二平面部に連結されてＬ字型を呈する。
【考案の効果】
【００１１】
従って、本考案に係る気圧検出素子を有する笛は従来の技術と比較して、気圧検出素子を利用してユーザーが笛を吹く際の気体を検出し、検出信号を外界の人員の携帯電子装置まで送信させ、外界の人員が救助を求めているユーザーを確実に発見することが可能になる。
【００１２】
さらに、気圧検出素子を有する笛内の空気室には２つの可聴周波数通路がさらに別設され、これにより低音調及び高音調の音を同時に発生させることが可能になり、救助隊員が位置を特定しやすくなる。また、夜間や濃霧であっても視覚的に周囲の注意を引く効果を提供することで、救難の効率を高める。
【図面の簡単な説明】
【００１３】
【図１】本考案の好ましい実施形態による気圧検出素子を有する笛を示す外観斜視図である。
【図２】図１に示すＡ−Ａ断面を示す概念図である。
【図３】図１に示すＢ−Ｂ断面を示す概念図である。
【図４】本考案の好ましい実施形態による気圧検出素子を有する笛の第一展開図である。
【図５】本考案の好ましい実施形態による気圧検出素子を有する笛の第二展開図である。
【図６】本考案の好ましい実施形態による気圧検出素子を有する笛が通信により携帯電子装置を接続する概念図である。
【考案を実施するための形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１５】
以下、本考案の具体的な実施形態を図１〜６に基づいて説明する。図１は本考案の好ましい実施形態による気圧検出素子を有する笛を示す外観斜視図である。図２は図１に示すＡ−Ａ断面を示す概念図である。図３は図１に示すＢ−Ｂ断面を示す概念図である。図４は本考案の好ましい実施形態による気圧検出素子を有する笛の第一展開図である。図５は本考案の好ましい実施形態による気圧検出素子を有する笛の第二展開図である。図６は本考案の好ましい実施形態による気圧検出素子を有する笛が通信により携帯電子装置を接続する概念図である。
【００１６】
本考案の好ましい実施形態による気圧検出素子を有する笛１はケース１１及び回路基板モジュール１２を備える。ケース１１はケース本体１１１と、スペーサー部材１１２と、押し素子１１３とをさらに含む。ケース本体１１１内にはケース内の空間１１１１をさらに有すると共に上ケース１１１２及び下ケース１１１３を具備する。ケース内の空間１１１１には空気室１１１１１及び収納室１１１１２が開設され、且つ空気室１１１１１には第一可聴周波数通路１１１１１１と、第二可聴周波数通路１１１１１２と、第三可聴周波数通路１１１１１３とが開設され、第一可聴周波数通路１１１１１１、第二可聴周波数通路１１１１１２、及び第三可聴周波数通路１１１１１３は互いに隔絶される。また、空気室１１１１１にはユーザー２が気体を吹き入れるために用いられる進気口１１１１１４が開設され、気体が第一可聴周波数通路１１１１１１、第二可聴周波数通路１１１１１２、及び第三可聴周波数通路１１１１１３中を流動する。
【００１７】
次に、上ケース１１１２には第一可聴周波数排気口１１１２１と、第二可聴周波数排気口１１１２２と、第三可聴周波数排気口１１１２３とが設けられ、且つ少なくとも１枚の隔板１１１２４及び隔板１１１２５が設置される。第一可聴周波数排気口１１１２１は第一可聴周波数通路１１１１１１に連通され、第二可聴周波数排気口１１１２２は第二可聴周波数通路１１１１１２に連通され、第三可聴周波数排気口１１１２３は第三可聴周波数通路１１１１１３に連通され、隔板１１１２４により第一可聴周波数通路１１１１１１と第二可聴周波数通路１１１１１２とが隔離され、隔板１１１２５により第二可聴周波数通路１１１１１２と第三可聴周波数通路１１１１１３とが隔離される。このほか、本考案の好ましい実施形態によると、第一可聴周波数排気口１１１２１の平面の断面積は第二可聴周波数排気口１１１２２の平面の断面積より大きく、第三可聴周波数排気口１１１２３の平面の断面積より小さい。これにより、大きさの異なる可聴周波数通路が形成され、気体が空気室１１１１１に吹き入れられて流動すると、音階の異なる音が発生する。
【００１８】
スペーサー部材１１２は上ケース１１１２及び下ケース１１１３に連結され、ケース内の空間１１１１は上述の空気室１１１１１及び収納室１１１１２に分割され、スペーサー部材１１２には空気室１１１１１に連通される検出開口部１１２２１１が開設される。具体的には、スペーサー部材１１２は第一隔板１１２１及び第二隔板１１２２で構成され、第一隔板１１２１は上ケース１１１２に連結され、第二隔板１１２２は下ケース１１１３に連結される。また、第二隔板１１２２は第一平面部１１２２１と、垂直部１１２２２と、第二平面部１１２２３とを備え、第一平面部１１２２１には上述の検出開口部１１２２１１が開設され、垂直部１１２２２は第一平面部１１２２１に連結されると共に第二平面部１１２２３に連結されてＬ字型を呈する（図４参照）。なお、特筆すべきは、垂直部１１２２２が第一平面部１１２２１の一部に連結され、且つ検出開口部１１２２１１と同じ一側に位置され、検出開口部１１２２１１は方形に開設されるが、但し他の実施形態ではこれに限定されない。
【００１９】
なお、押し素子１１３は上ケース１１１２に設置され、従来のボタン或いは他のキー構造で構成されると共に押下部１１３１及び凸部１１３２を有し、凸部１１３２は押下部１１３１に連結され、且つ一体成形で形成されるか、或いは他の連結方式で互いに連結される。
【００２０】
回路基板モジュール１２は、プリント回路実装板（Printed Circuit Board Assembly;PCBA）等であり、ケース本体１１１に内設されると共に回路基板本体１２１と、気圧検出素子１２２と、転送モジュール１２３と、圧力検出素子１２４と、発光モジュール１２５と、電源供給モジュール１２６とを備える。回路基板本体１２１は少なくとも一部分が収納室１１１１２に設置されるが、但し本考案の好ましい実施形態では収納室１１１１２中に完全に収納され、回路基板本体１２１は検出開口部１１２２１１に対応するガス検出領域１２１１を有する。このほか、回路基板本体１２１はプリント回路基板である。
【００２１】
気圧検出素子１２２はガス検出領域１２１１に設置されると共に検出開口部１１２２１１に嵌設される。但し、他の実施形態では、気圧検出素子１２２が空気室１１１１１に延出され、或いは一部がガス検出領域１２１１の外に露出されて検出開口部１１２２１１に完全には嵌設されない。このため、本考案は好ましい実施形態に制限されず、このほか、気圧検出素子１２２が気圧検知器であってもよい。
【００２２】
転送モジュール１２３は回路基板本体１２１を介して気圧検出素子１２２に電気的に接続されると共に携帯電子装置３に通信接続される。転送モジュール１２３は、ブルートゥースインターフェース、ＷＩＭＡＸ（Worldwide Interoperability for Microwave Access：WIMAX）インターフェース、Ｗｉ−Ｆｉ（WIFI）伝送インターフェース、ＬＴＥ（Long Term Evolution；ＬＴＥ）伝送インターフェースの内の何れか１つであるが、但しこれらに限定されない。圧力検出素子１２４は回路基板本体１２１の押し素子１１３に対応する箇所に設置され、回路基板本体１２１を介して転送モジュール１２３に電気的に接続される。具体的には、圧力検出素子１２４が回路基板本体１２１に設置される位置が押し素子１１３が上ケース１１１２に設置される位置に対応し、且つ押し素子１１３の凸部１１３２が圧力検出素子１２４に対応し、圧力検出素子１２４は圧力検知器である。
【００２３】
発光モジュール１２５は回路基板本体１２１に設置されると共に回路基板本体１２１を介して気圧検出素子１２２及び圧力検出素子１２４に電気的に接続され、且つ複数の発光ダイオード（Light-Emitting Diode：LED）で構成されるが、但し、他の実施形態ではこれに限定されず、有機ＥＬやアクティブマトリクス式有機ＥＬ等の発光素子で構成されてもよい。電源供給モジュール１２６は回路基板本体１２１に設置されると共に回路基板本体１２１を介して発光モジュール１２５に電気的に接続され、電源供給モジュール１２６はリチウム電池、アルカリ電池、充電池、及びアルミニウム電池の内の何れか１つである。ちなみに、好ましい本実施態様では、気圧検出素子１２２、転送モジュール１２３、圧力検出素子１２４、及び発光モジュール１２５は同様に回路基板本体１２１の一面に設置され、電源供給モジュール１２６は回路基板本体１２１の他面に設置される。
【００２４】
本考案の好ましい実施形態による気圧検出素子を有する笛１は実際の応用において、図６に示すように、即ち、気圧検出素子１２２は気体の検出に使用され、且つユーザー２が気体を空気室１１１１１に吹き入れたのを検出した場合、第一検出信号Ｓ１を送信し、転送モジュール１２３が第一検出信号Ｓ１を受信した後に第一検出信号Ｓ１が携帯電子装置３に送信され、続いて携帯電子装置３が第一通知信号Ｓ２をインターネットを通して携帯電子装置４に送信させ、これにより携帯電子装置の所有者であるユーザー５に通知する（例えば、携帯電子装置４と気圧検出素子を有する笛１との間をブルートゥースにより接続し、且つ携帯電子装置４のアプリケーションを使用して起動後に第一検出信号Ｓ１を随時受信可能なように待機させる）。前述の携帯電子装置３及び携帯電子装置４は、例えばスマートフォン、スマートウォッチ、タブレット端末、或いは他のウェアラブル端末である。このほか、圧力検出素子１２４は出押し素子１１３の押下部１１３１がユーザー２に押されたことを検知させると（且つ凸部１１３２が圧力検出素子１２４に接触）、第二検出信号Ｓ３を転送モジュール１２３を経由して携帯電子装置３に送信させ、続いて携帯電子装置３が第二通知信号Ｓ４をインターネットを経由して携帯電子装置４に送信させ、これにより携帯電子装置４の所有者であるユーザー５に通知する。
【００２５】
ちなみに、図６は概念図であり、ユーザー５がユーザー２の付近にいるわけではない。また、他の実施形態によれば、転送モジュール１２３が第一検出信号Ｓ１を受信した後に第一検出信号Ｓ１を携帯電子装置４に直接送信させ、転送モジュール１２３にはメモリー或いは他の記憶装置が内設され、前述の記憶装置には通信記録の内容が記憶され、且つ転送モジュール１２３にはＬＴＥ伝送インターフェースが採用され、さらにユーザー５の携帯電子装置４に直接通信接続されて状況を通知する。
【００２６】
発光モジュール１２５が第一検出信号Ｓ１及び第二検出信号Ｓ３の内の少なくとも１つを受信した場合、トリガーされて発光する（回路基板本体１２１に設置されるトリガー回路、或いは発光モジュール１２５自体に設置されるトリガー回路によりトリガーされる）。電源供給モジュール１２６により発光モジュール１２５と、回路基板本体１２１と、気圧検出素子１２２と、転送モジュール１２３と、圧力検出素子１２４とに給電が行われる。
【００２７】
また、好ましい本実施態様では、下ケース１１１３の電源供給モジュール１２６に対応する部分には電池カバー１１１３１が増設され、これにより電源供給モジュール１２６の蓋をするか、ないしはユーザー２が電池を交換するのが便利になる。また、上ケース１１１２及び下ケース１１１３は超音波熱溶融方式により装設され、これにより空気室１１１１１の密閉性を高める。
【００２８】
以上のとおり、本考案に係る気圧検出素子を有する笛を採用すると、気圧検出素子によりユーザーが笛を吹いた際の気体を検出し、検出信号を外界の人員の携帯電子装置に送信させ、外界の人員にユーザーが救助を求めていることを確実に知らせる。さらには、空気室に２つの可聴周波数通路がさらに別設されることで、低音調及び高音調の音を同時に発生させ、これにより救助隊員が位置を特定しやすくなり、また、夜間や濃霧中でも視覚的に注意を引く効果を提供することで救難の効率を向上させる。
【００２９】
なお、圧力検出素子を増設させ、ユーザーが事故の際にすぐに圧力検出素子を押すことで気体を吹き込まずとも、或いは進気口が損壊した場合でも検出信号を外界の人員に通知することができるようになり、本考案の好ましい実施形態に係る気圧検出素子を有する笛の利便性を大きく向上させる。
【００３０】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００３１】
１ 気圧検出素子を有する笛
１１ ケース
１１１ ケース本体
１１１１ ケース内の空間
１１１１１ 空気室
１１１１１１ 第一可聴周波数通路
１１１１１２ 第二可聴周波数通路
１１１１１３ 第三可聴周波数通路
１１１１１４ 進気口
１１１１２ 収納室
１１１２ 上ケース
１１１２１ 第一可聴周波数排気口
１１１２２ 第二可聴周波数排気口
１１１２３ 第三可聴周波数排気口
１１１２４、１１１２５ 隔板
１１１３ 下ケース
１１１３１ 電池カバー
１１２ スペーサー部材
１１２１ 第一隔板
１１２２ 第二隔板
１１２２１ 第一平面部
１１２２１１ 検出開口部
１１２２２ 垂直部
１１２２３ 第二平面部
１１３ 押し素子
１１３１ 押下部
１１３２ 凸部
１２ 回路基板モジュール
１２１ 回路基板本体
１２１１ ガス検出領域
１２２ 気圧検出素子
１２３ 転送モジュール
１２４ 圧力検出素子
１２５ 発光モジュール
１２６ 電源供給モジュール
Ｓ１ 第一検出信号
Ｓ２ 第一通知信号
Ｓ３ 第二検出信号
Ｓ４ 第二通知信号
２ ユーザー
３ 携帯電子装置
４ 携帯電子装置
５ ユーザー
【図１】
0003198986.tif 000003
【図２】
0003198986.tif 000004
【図３】
0003198986.tif 000005
【図４】
0003198986.tif 000006
【図５】
0003198986.tif 000007
【図６】
0003198986.tif 000008